(57)【要約】【課題】近接無線通信を利用してデータを送受信することが可能な携帯端末と外部機器の通信位置の特定を容易にする。【解決手段】スマートフォンをＮ個のエリアに分割した状態を表示部に表示する。初期化処理で変数ｎに１がセットされる。変数ｎの値のエリアと、変数ｎのエリアを炊飯器の機器側アンテナにタッチすることを促すメッセージとを表示部に表示する。使用者が第ｎエリアを機器側アンテナにタッチしたら、機器側アンテナが発信し、端末側アンテナが受信した磁界強度を取得する。第ｎエリアを機器側アンテナにタッチした状態で、端末側アンテナと機器側アンテナとの間の通信が正常終了したか否かチェックする。正常終了したら取得した磁界強度をメモリに記憶する。磁界強度取得までの処理をＮ個のエリア全てに実行する。最も強い磁界強度を取得したときの機器側アンテナにタッチされていたエリアを通信位置として表示部に表示する。【選択図】図７
2018037992.tif 000002
【特許請求の範囲】
【請求項１】
近接無線通信を実行可能な携帯端末と、
近接無線通信を介して前記携帯端末と通信可能な外部機器とを備え、
前記携帯端末を前記外部機器にかざすと、前記外部機器が発信し、前記携帯端末で受信する磁界の磁界強度を取得し、最も強い磁界強度を取得したときの前記携帯端末と前記外部機器との相対的位置関係に基づいて、近接無線通信を利用するときの前記携帯端末および前記外部機器の少なくとも一方の通信位置が特定される通信位置特定システム。
【請求項２】
近接無線通信を介して外部機器と通信可能な携帯端末であって、
前記外部機器にかざすとき、前記外部機器から受信した磁界の磁界強度を取得する磁界強度取得手段と、
最も強い磁界強度を取得したときの前記外部機器との相対的位置関係に基づいて、近接無線通信を利用するときの前記携帯端末および前記外部機器の少なくとも一方の通信位置を特定する通信位置特定手段とを備える携帯端末。
【請求項３】
請求項２に記載の携帯端末と通信可能な外部機器であって、前記携帯端末がかざされたとき、磁界を発信する機器側アンテナを有している外部機器。
【請求項４】
近接無線通信を行う端末側アンテナを有する携帯端末で実行可能な通信位置特定プログラムであって、
前記携帯端末の表示部に、前記携帯端末を複数のエリアに分割した状態を表示する分割状態表示ステップと、
前記複数のエリアのうちの１つのエリアを表示部に表示するエリア表示ステップと、
近接無線通信を介した通信相手である外部機器に、前記エリア表示ステップで前記表示部に表示された前記携帯端末の前記エリアをかざすとき、前記外部機器の機器側アンテナが発し、前記端末側アンテナが受信する磁界の磁界強度を取得する取得ステップと、
前記携帯端末と前記外部機器との間で通信が正常終了したか否かを判断する判断ステップと、
前記判断ステップで正常終了と判断されたら、前記取得ステップで取得した磁界強度を記憶する記憶ステップと、
前記携帯端末のかざす前記エリアを変更すること促すメッセージを前記表示部に表示するメッセージ表示ステップと、
前記複数のエリアのすべてについて、前記エリア表示ステップと前記取得ステップと前記判断ステップと前記記憶ステップとを実行した後、前記記憶ステップで記憶された磁界強度のうち、最も強い磁界強度を取得したときの前記エリアに基づいて前記外部機器に対する前記携帯端末の通信位置を特定し、前記携帯端末の前記表示部に当該位置を表示する通信位置表示ステップとを含んでいる通信位置特定プログラム。
【請求項５】
近接無線通信を行う端末側アンテナを有する携帯端末で実行可能な通信位置特定プログラムであって、
近接無線通信を介した通信相手である外部機器に前記携帯端末をかざしたとき、前記外部機器の機器側アンテナが発し、前記端末側アンテナが受信する磁界の磁界強度を取得する取得ステップと、
前記携帯端末と前記外部機器との間で通信が正常終了したか否かを判断する判断ステップと、
前記判断ステップで正常終了と判断されたら、前記取得ステップで取得した磁界強度を記憶する記憶ステップと、
前記外部機器において前記機器側アンテナが配設されている面の全域にわたって前記携帯端末がかざされ、前記取得ステップと前記判断ステップと前記記憶ステップとが実行された後、前記記憶ステップで記憶された磁界強度のうち、最も強い磁界強度を取得したときの前記携帯端末と前記外部機器との相対的位置関係を特定し、当該位置を通信位置として前記携帯端末の前記表示部に表示する通信位置表示ステップとを含んでいる通信位置特定プログラム。
【発明の詳細な説明】
【技術分野】
【０００１】
本発明は、近距離無線通信でデータの送受信を行う携帯端末と機器との間で送受信の開始前に実行される通信位置の特定処理に関する通信位置特定システム、携帯端末、外部機器、および通信位置特定プログラムである。
【背景技術】
【０００２】
従来、ＮＦＣ（Near Field radio Communication、近距離無線通信）を用いて、携帯端末と外部機器との間でデータの送受信を行う技術が提案されている。例えば携帯端末にダウンロードしたアプリケーションで家電機器の動作内容を設定し、携帯端末を家電機器にかざすことにより、家電機器を携帯端末で設定した動作内容に従って動作させることができる。このようなＮＦＣを用いたデータの送受信を行うためには、携帯端末のアンテナと家電機器のアンテナとを接近させ、通信を確立することが行われる。そのためには、携帯端末および家電機器の双方のアンテナ位置を特定しなければならない。携帯端末のアンテナの位置は、携帯端末毎に異なっている。携帯端末側のアンテナ位置が分からないと、携帯端末を家電機器にかざしても、通信を確立できないことがある。そこで、携帯端末のアンテナ位置を遠距離無線通信で接続可能なサーバーマシンに記憶させておき、家電機器にかざすとき、サーバーマシンからアンテナ位置の情報を読み出し、使用者へ報知するシステムが提案されている（特許文献１）。
【先行技術文献】
【特許文献】
【０００３】
【特許文献１】特許第５７８９６１０号公報
【発明の概要】
【発明が解決しようとする課題】
【０００４】
しかしながら、携帯端末は短いサイクルで新機種が発売される。従って、携帯端末の全機種について、それぞれのアンテナ位置に関するデータをサーバーマシンで管理するのは困難である。
【０００５】
本発明は、上述のような課題を背景としてなされたものであり、近接無線通信を利用してデータを送受信することが可能な携帯端末と外部機器の通信位置の特定を容易にする通信位置特定システム、携帯端末、外部機器、および通信位置特定プログラムを提供することを目的としている。
【課題を解決するための手段】
【０００６】
本発明に係る通信位置特定システムは、近接無線通信を実行可能な携帯端末と、近接無線通信を介して前記携帯端末と通信可能な外部機器とを備え、前記携帯端末を前記外部機器にかざすと、前記外部機器が発信し、前記携帯端末で受信する磁界の磁界強度を取得し、最も強い磁界強度を取得したときの前記携帯端末と前記外部機器との相対的位置関係に基づいて、近接無線通信を利用するときの前記携帯端末および前記外部機器の少なくとも一方の通信位置が特定されるものである。
【０００７】
また、本発明に係る携帯端末は、近接無線通信を介して外部機器と通信可能な携帯端末であって、前記外部機器にかざすとき、前記外部機器から受信した磁界の磁界強度を取得する磁界強度取得手段と、最も強い磁界強度を取得したときの前記外部機器との相対的位置関係に基づいて、近接無線通信を利用するときの前記携帯端末および前記外部機器の少なくとも一方の通信位置を特定する通信位置特定手段とを備えるものである。
【０００８】
本発明に係る外部機器は、上述の本発明に係る携帯端末と通信可能な外部機器であって、前記携帯端末がかざされたとき、磁界を発信する機器側アンテナを有しているものである。
【０００９】
また、本発明に係る通信位置特定プログラムは、近接無線通信を行う端末側アンテナを有する携帯端末で実行可能な通信位置特定プログラムであって、前記携帯端末の表示部に、前記携帯端末を複数のエリアに分割した状態を表示する分割状態表示ステップと、前記複数のエリアのうちの１つのエリアを表示部に表示するエリア表示ステップと、近接無線通信を介した通信相手である外部機器に、前記エリア表示ステップで前記表示部に表示された前記携帯端末の前記エリアをかざすとき、前記外部機器の機器側アンテナが発し、前記端末側アンテナが受信する磁界の磁界強度を取得する取得ステップと、前記携帯端末と前記外部機器との間で通信が正常終了したか否かを判断する判断ステップと、前記判断ステップで正常終了と判断されたら、前記取得ステップで取得した磁界強度を記憶する記憶ステップと、前記携帯端末のかざす前記エリアを変更すること促すメッセージを前記表示部に表示するメッセージ表示ステップと、前記複数のエリアのすべてについて、前記エリア表示ステップと前記取得ステップと前記判断ステップと前記記憶ステップとを実行した後、前記記憶ステップで記憶された磁界強度のうち、最も強い磁界強度を取得したときの前記エリアに基づいて前記外部機器に対する前記携帯端末の通信位置を特定し、前記携帯端末の前記表示部に当該位置を表示する通信位置表示ステップとを含んでいる。
【００１０】
また、本発明に係る通信位置特定プログラムは、近接無線通信を行う端末側アンテナを有する携帯端末で実行可能な通信位置特定プログラムであって、近接無線通信を介した通信相手である外部機器に前記携帯端末をかざしたとき、前記外部機器の機器側アンテナが発し、前記端末側アンテナが受信する磁界の磁界強度を取得する取得ステップと、前記携帯端末と前記外部機器との間で通信が正常終了したか否かを判断する判断ステップと、前記判断ステップで正常終了と判断されたら、前記取得ステップで取得した磁界強度を記憶する記憶ステップと、前記外部機器において前記機器側アンテナが配設されている面の全域にわたって前記携帯端末がかざされ、前記取得ステップと前記判断ステップと前記記憶ステップとが実行された後、前記記憶ステップで記憶された磁界強度のうち、最も強い磁界強度を取得したときの前記携帯端末と前記外部機器との相対的位置関係を特定し、当該位置を通信位置として前記携帯端末の前記表示部に表示する通信位置表示ステップとを含んでいる。
【発明の効果】
【００１１】
本発明によれば、携帯端末を外部機器にかざしたとき、外部機器から発信される電磁波の磁界の磁界強度に基づいて、近接無線通信における携帯端末と外部機器の通信位置が特定される。従って、携帯端末と外部機器との間で、容易に近接無線通信を確立することができる。また、携帯端末および外部機器の全機種について、アンテナ位置の情報を管理する必要がなく、使用者の負担が軽減される。
【図面の簡単な説明】
【００１２】
【図１】本発明の実施の形態に係る携帯端末を示す図である。
【図２】本発明の実施の形態に係る炊飯器の平面図である。
【図３】本発明の実施の形態に係る通信位置特定システムのブロック図である。
【図４】携帯端末のアンテナと炊飯器のアンテナとの相対的位置と、磁界強度との関係を示すグラフである。
【図５】機器側アンテナに対して端末側アンテナの投影した状態を模式的に示す図である。
【図６】本発明の実施の形態に係る通信位置確認方法の手順を示すフローチャートである。
【図７】図６の処理１で実行される通信位置特定処理の手順を示すフローチャートである。
【図８】スマートフォンのエリア分割の一例を示す図である。
【図９】携帯端末の表示部に表示される画像の一例を示す図である。
【図１０】図６の処理２で実行される通信位置特定処理の手順を示すフローチャートである。
【図１１】外部機器に対する携帯端末のタッチ位置の変遷の一例を示す図である。
【図１２】外部機器に対する携帯端末のタッチ位置の態様の一例を示す図である。
【発明を実施するための形態】
【００１３】
以下、本発明の通信位置特定システムの好適な実施の形態について図面を用いて説明する。なお、以下に説明する実施の形態によって本発明が限定されるものではない。また、図面における各構成部材の大きさ、形状は、説明のためにわかりやすく表しており、実際の大きさ、形状と異なる場合がある。
【００１４】
実施の形態．
図１は、本発明の実施の形態に係る携帯端末を示す図である。図１（ａ）は携帯端末の正面図、図１（ｂ）は裏面図である。本実施の形態の携帯端末はスマートフォンである。図１（ａ）に示されるように、スマートフォン１の正面１１には表示部１２が設けられている。表示部１２には、各種操作パネル、各種データが表示される。スマートフォン１の略中央のエリアには、ＮＦＣによる通信に使用される端末側アンテナ１４が配設されている。なお、図１（ｂ）において、端末側アンテナ１４は、スマートフォン１における位置を示すために裏面１３中に実線で描かれているが、実際にはスマートフォン１の内部に埋め込まれている。従って、ユーザは端末側アンテナ１４を外部から視認することはできない。裏面１３の左上の角部近傍に、カメラ１５が配設されている。カメラ１５により取得される画像は、動画あるいは静止画として表示部１２に表示可能である。
【００１５】
図２は、本発明の実施の形態に係る炊飯器の平面図である。炊飯器２の上面２０において、下方側に表示パネル２１が設けられている。表示パネル２１の左右には、炊飯に関する各種設定を行うためのスイッチ群２２および２３が配置されている。スイッチ群２２および２３で設定された内容や炊きあがりに関する各種情報が、適宜、表示パネル２１に表示される。炊飯器２の上面２０において、スイッチ群２３の上方には、ＮＦＣによる通信に使用される機器側アンテナ２４が配設されている。
【００１６】
図３は、本発明の実施の形態に係る通信位置特定システムのブロック図である。スマートフォン１の端末側アンテナ１４と、炊飯器２の機器側アンテナ２４との間でＮＦＣによるデータの送受信が行われる。スマートフォン１の端末制御手段１００は、スマートフォン１を全体的に制御する。メモリ１０２には、スマートフォン１で実行可能な各種プログラム、各種データが記憶されている。端末制御手段１００は、メモリ１０２に記憶されているプログラムを実行し、近接通信制御部１０１、通信位置特定部１０３、カメラ１５を制御する。カメラ１５により取得された画像データは端末制御手段１００を介してメモリ１０２に記憶される。
【００１７】
炊飯器２の機器制御手段２００は、炊飯器２を全体的に制御する。機器制御手段２００は、スイッチ群２２および２３から入力される操作情報に基づいて、調理を実行するとともに、調理に関する各種情報を表示パネル２１に表示する。近接通信制御部２０１は、機器制御手段２００の制御に基づいて機器側アンテナ２４を制御し、データの送受信を実行する。スマートフォン１が炊飯器２にかざされ、端末側アンテナ１４が機器側アンテナ２４に近づけられると、機器側アンテナ２４は電磁波の磁界を発信する。
【００１８】
機器側アンテナ２４が発信する磁界は、スマートフォン１の端末側アンテナ１４で受信される。スマートフォン１の近接通信制御部１０１は、端末側アンテナ１４が受信した磁界の磁界強度を端末制御手段１００に出力する。端末制御手段１００は、近接通信制御部１０１から入力した磁界強度をメモリ１０２に記憶させる。通信位置特定部１０３は、磁界強度に基づいて、スマートフォン１および炊飯器２の通信位置を特定する。通信位置特定部１０３により特定された通信位置は、端末制御手段１００の制御により表示部１２に表示される。
【００１９】
ここで、スマートフォン１と炊飯器２との間に通信位置について説明する。以降の説明において、スマートフォン１の裏面１３の面上において、端末側アンテナ１４を原点とする二次元座標を端末側ＸＹ座標とし、炊飯器２の上面２０と略平行な面上において、機器側アンテナ２４を原点とする二次元座標を機器側ＸＹ座標とする。また、端末側ＸＹ座標および機器側ＸＹ座標の原点が一致しているとき、当該原点に直交する座標をＺ座標とする。また、Ｘ座標に平行な方向をＸ方向、Ｙ座標に平行な方向をＹ方向、Ｚ座標に平行な方向をＺ方向とする。
【００２０】
図４は、携帯端末のアンテナと炊飯器のアンテナとの相対的位置と、磁界強度との関係を示すグラフである。図４のグラフは、横軸に機器側アンテナ２４と端末側アンテナ１４のＸ方向におけるズレ量、すなわちＸ方向における距離をとり、縦軸に磁界強度をとっている。端末側ＸＹ座標と機器側ＸＹ座標のＸ座標が一致しており、機器側アンテナ２４と端末側アンテナ１４のＸ方向におけるズレ量が０のとき、磁界強度は最も強い。機器側アンテナ２４と端末側アンテナ１４のＸ方向におけるズレ量が大きくなるほど、磁界強度は弱くなる。この磁界強度に関する特性は、Ｙ方向においても同様である。従って、スマートフォン１を炊飯器２に近づけたとき、炊飯器２の機器側アンテナ２４とスマートフォン１の端末側アンテナ１４のＸ座標およびＹ座標が一致していて、機器側アンテナ２４と端末側アンテナ１４との間の距離、すなわちＺ方向における相対的位置が近いほど磁界強度は強くなる。
【００２１】
スマートフォン１と炊飯器２の距離はスマートフォン１および炊飯器２の外形形状に依存する。換言すると、スマートフォン１を炊飯器２に接触させる操作をした場合、Ｚ方向における相対的位置は、操作者によらず略一定と考えてよい。そうすると、ＸＹ座標で最も磁界強度の強い場所が、機器側アンテナ２４と端末側アンテナ１４との間の通信に最も適した位置となる。基本的には、機器側アンテナ２４に対して端末側アンテナ１４の投影面積が一番大きくなる位置が最も磁界強度が強く、通信に適している。換言すると、機器側アンテナ２４と端末側アンテナ１４のＸＹ座標が一致していても、ＸＹ平面上の回転角度によって磁界強度は変化する。
【００２２】
図５は、機器側アンテナに対して端末側アンテナの投影した状態を模式的に示す図である。図５（ａ）および（ｂ）は、端末側アンテナ１４および機器側アンテナ２４の形状が同じ正方形で、同一の大きさである場合を示している。図５（ｃ）および（ｄ）は、端末側アンテナ１４に対し機器側アンテナ２４の大きさが十分大きい場合を示している。端末側アンテナ１４および機器側アンテナ２４の形状が同じ正方形で、同一の大きさである場合、図５（ａ）および（ｂ）に示すように、機器側アンテナ２４に対する端末側アンテナ１４の角度により、機器側アンテナ２４に対して端末側アンテナ１４を投影したときの面積は変化する。機器側アンテナ２４に対する端末側アンテナ１４の角度が０度、９０度、１８０度、２７０度のとき、機器側アンテナ２４に対して端末側アンテナ１４を投影したときの面積は、双方のアンテナの面積に一致するため、磁界強度は最強となる。また、図５（ａ）に示されるように、機器側アンテナ２４に対する端末側アンテナ１４の角度が４５度、１３５度、２２５度、３１５度のとき、機器側アンテナ２４に対して端末側アンテナ１４を投影したときの面積は最小となり、磁界強度は最弱となる。端末側アンテナ１４の大きさに対して機器側アンテナ２４の大きさが十分に大きい場合は、図５（ｃ）および（ｄ）に示されるように、機器側アンテナ２４に対して端末側アンテナ１４を投影したときの面積は同一である。従って、回転による磁界強度の強弱に影響は無い。
【００２３】
図６は、本発明の実施の形態に係る通信位置確認方法の手順を示すフローチャートである。図６のフローチャートには、スマートフォン１の使用者による操作と、使用者の操作に起因してスマートフォン１の端末制御手段１００で実行されるプログラムの処理とが示されている。スマートフォン１の使用者が炊飯器２の機種を分かっている場合（ステップＳ１０でＹＥＳ）、使用者はステップＳ１１において、炊飯器２の機種名をスマートフォン１に入力する。炊飯器２の機種名が入力されると、端末制御手段１００は、ステップＳ１２において、表示部１２に炊飯器２の機器側アンテナ２４を表示する。
【００２４】
使用者がスマートフォン１の端末側アンテナ１４の位置を分かっている場合（ステップＳ１３でＹＥＳ）、使用者は、ステップＳ１４において、端末側アンテナ１４を機器側アンテナ２４に近づける操作をする。ステップＳ１５において、端末制御手段１００は、端末側アンテナ１４と機器側アンテナ２４との間の通信が正常に完了したか否かチェックする。通信が正常に完了したことが確認されたら、ステップＳ１６へ進む。通信が正常に完了していないことが確認された場合は、ステップＳ１５の処理が繰り返される。
【００２５】
ステップＳ１６において、端末制御手段１００は、通信の正常完了、すなわち通信成功の回数が規定値以上に達したか否かチェックする。通信成功の回数が規定値以上に達したことが確認されたら、スマートフォン１と炊飯器２のＮＦＣによる通信位置が特定されたと判断できるので、通信位置確認の手順は終了する。通信成功の回数が規定値以上に達していない場合は、使用者によるステップＳ１４の操作、および端末制御手段１００によるステップＳ１５およびＳ１６の処理が繰り返される。
【００２６】
使用者が、炊飯器２の機種名は分かっているが、スマートフォン１の端末側アンテナ１４の位置は分かっていない場合（ステップＳ１３でＮＯ）、端末制御手段１００は、ステップＳ１７において処理１を実行する。
【００２７】
図７は、図６の処理１で実行される通信位置特定処理の手順を示すフローチャートである。ステップＳ１７１において、端末制御手段１００は、スマートフォン１をＮ個のエリアに分割した状態を表示部１２に表示する。図８は、スマートフォンのエリア分割の一例を示す図である。図８に示されるように、本実施の形態においては、スマートフォン１のエリアを９個に分割するものとする。次いで、ステップＳ１７２において、初期化処理が実行され、変数ｎに１がセットされる。ステップＳ１７３で、変数ｎの値のエリアと、変数ｎのエリアを炊飯器２の機器側アンテナ２４にタッチすることを促すメッセージとを表示部１２に表示する。図９は、携帯端末の表示部に表示される画像の一例を示す図である。変数ｎに１がセットされているとき、図９（ａ）に示すように、第１エリアに相当する部分のみを網掛けにしたスマートフォン１の正面１１の全体図と、網掛けの部分を炊飯器２の機器側アンテナ２４にタッチすることを促すメッセージとが表示部１２に表示される。
【００２８】
使用者が第ｎエリアを炊飯器２の機器側アンテナ２４にタッチしたら、ステップＳ１７４において、端末制御手段１００は、機器側アンテナ２４が発信し、端末側アンテナ１４が受信した磁界の磁界強度を取得する。次いで、ステップＳ１７５で、第ｎエリアを炊飯器２の機器側アンテナ２４にタッチした状態で、端末側アンテナ１４と機器側アンテナ２４との間の通信が正常終了したか否かチェックする。端末側アンテナ１４と機器側アンテナ２４との間の通信が正常終了したことが確認されたら、ステップＳ１７６へ進む。端末側アンテナ１４と機器側アンテナ２４との間の通信が正常終了していない場合は、ステップＳ１７５の処理が繰り返される。
【００２９】
ステップＳ１７６において、端末制御手段１００は、ステップＳ１７４で取得した磁界強度をメモリ１０２に記憶する。次いでステップＳ１７７へ進み、変数ｎの値を１インクリメントする。ステップＳ１７８で、端末制御手段１００は、変数ｎの値がＮ、すなわちスマートフォン１を分割したエリアの総数を超えているか否かチェックする。本実施の形態では、変数ｎの値が９を超えているか否かがチェックされる。変数ｎの値が分割したエリアの総数を超えていないことが確認されたらステップＳ１７３へ戻り、ステップＳ１７３〜Ｓ１７７の処理が繰り返される。
【００３０】
例えば、ステップＳ１７７で変数ｎの値が１インクリメントされ、２となったとき、ステップＳ１７８において、エリアの総数９を超えていないことが確認される。その結果、ステップＳ１７３の処理により、図９（ｂ）に示すように、第２エリアに相当する部分のみを網掛けにしたスマートフォン１の正面１１の全体図と、網掛けの部分を炊飯器２の機器側アンテナ２４にタッチすることを促すメッセージとが表示部１２に表示される。そして、ステップＳ１７４で第２エリアを炊飯器２の機器側アンテナ２４にタッチした状態で、機器側アンテナ２４が発信し、端末側アンテナ１４が受信した磁界強度が取得され、端末側アンテナ１４と機器側アンテナ２４との間の通信が正常終了したら、ステップＳ１７６で、取得した磁界強度をメモリ１０２に記憶する。以上の処理が、変数ｎの値が分割したエリアの総数を超えるまで繰り返される。すなわち、分割されたエリアの全てについて、ステップＳ１７３〜Ｓ１７６の処理が実行される。
【００３１】
ステップＳ１７８において、変数ｎの値が分割したエリアの総数を超えたことが確認されたら、ステップＳ１７９へ進む。ステップＳ１７９では、端末制御手段１００は、メモリ１０２に記憶されている磁界強度のうち最も強い磁界強度を特定する。そして、最も強い磁界強度を取得したときに、機器側アンテナ２４にタッチされていたエリアを、通信位置として表示部１２に表示する。以上で、処理１の処理は終了し、図６のフローチャートのステップＳ１４へリターンする。
【００３２】
ここで、再び図６を参照すると、スマートフォン１の使用者が炊飯器２の機種を分からず、炊飯器２の機種名が入力されない場合（ステップＳ１０でＮＯ）、ステップＳ１８において、端末制御手段１００は、スマートフォン１の表示部１２に炊飯器２の上面のタッチ位置を表示する。使用者が表示部１２に表示された内容により炊飯器２の機器側アンテナ２４の位置を把握した場合（ステップＳ１９でＹＥＳ）、ステップＳ１３へ進む。以降の処理は上述の通りである。一方、使用者が表示部１２に表示された内容によっても炊飯器２の機器側アンテナ２４の位置が把握できない場合（ステップＳ１９でＮＯ）、ステップＳ２０において処理２が実行される。
【００３３】
図１０は、図６の処理２で実行される通信位置特定処理の手順を示すフローチャートである。ステップＳ２０１で、端末制御手段１００は、スマートフォン１を炊飯器２にタッチすることを促すメッセージを表示部１２に表示する。次いで、ステップＳ２０１において、端末制御手段１００は、スマートフォン１が炊飯器２にタッチされたとき、機器側アンテナ２４が発信し端末側アンテナ１４が受信した磁界の磁界強度を取得する。
【００３４】
ステップＳ２０３において、端末制御手段１００は、端末側アンテナ１４と機器側アンテナ２４との間の通信が正常終了したか否かをチェックする。端末側アンテナ１４と機器側アンテナ２４との間の通信が正常終了したことが確認されたら、ステップＳ２０４へ進む。端末側アンテナ１４と機器側アンテナ２４との間の通信が正常終了しないうちは、ステップＳ２０３の処理が繰り返される。
【００３５】
ステップＳ２０４において、端末制御手段１００は、ステップＳ２０２で取得した磁界強度をメモリ１０２に記憶する。次いで、ステップＳ２０５へ進み、端末制御手段１００は、炊飯器２の上面の全てのエリアをタッチしたか否かを確認するメッセージを表示部１２に表示する。スマートフォン１で炊飯器２の上面の全てのエリアをタッチしていないことが確認されたら、ステップＳ２０６へ進む。ステップＳ２０６では、端末制御手段１００は、タッチ位置の変更を促すメッセージを表示部１２に表示する。その後、ステップＳ２０２へ戻り、ステップＳ２０２〜Ｓ２０５の処理が繰り返される。図１１は、外部機器に対する携帯端末のタッチ位置の変遷の一例を示す図である。ステップＳ２０２〜Ｓ２０５の処理が繰り返されることにより、使用者はスマートフォン１を図１１において矢印で示すようにタッチ位置をずらしていくよう誘導される。
【００３６】
ステップＳ２０５で、スマートフォン１で炊飯器２の上面の全てのエリアをタッチしたことが確認されたら、ステップＳ２０７へ進む。ステップＳ２０７では、端末制御手段１００は、メモリ１０２に記憶されている磁界強度のうち最も強い磁界強度を特定する。そして、最も強い磁界強度を取得したときに、スマートフォン１がタッチしていた、炊飯器２の上面の位置を、通信位置として表示部１２に表示する。以上で、処理２の処理は終了し、図６のフローチャートのステップＳ１４へリターンする。
【００３７】
以上のように、近接無線通信を実行可能な携帯端末と、近接無線通信を介して携帯端末と通信可能な外部機器とを備え、スマートフォン１を炊飯器２にかざしたとき、炊飯器２の機器側アンテナ２４が発信し、スマートフォン１の端末側アンテナ１４で受信する磁界強度を取得し、最も強い磁界強度を取得したときのスマートフォン１と炊飯器２との相対的位置関係に基づいて、ＮＦＣを利用するときのスマートフォン１および炊飯器２の少なくとも一方の通信位置が特定される。従って、使用者が端末側アンテナ１４や機器側アンテナ２４の位置を把握していなくても、容易にスマートフォン１および炊飯器２との間の通信を確立することができる。
【００３８】
また、スマートフォン１や炊飯器２として新たな機種を使用開始するとき、使用者はサーバーマシンに新たな機種に関する情報をアップデートする処理を行う必要が無い。従って、使用者に負担をかけることなく、新たな機種によるＮＦＣによる通信を確立することができる。
【００３９】
ＮＦＣを介して外部機器と通信可能なスマートフォン１は、外部機器である炊飯器２にかざしたとき、炊飯器２が発した磁界を受信する端末側アンテナ１４と、最も強い磁界強度を取得したときの炊飯器２との相対的位置関係に基づいて、ＮＦＣを利用するときのスマートフォン１および炊飯器２の少なくとも一方の通信位置を特定する通信位置特定部１０３とを備えている。従って、使用者が端末側アンテナ１４や機器側アンテナ２４の位置を把握していなくても、容易にスマートフォン１および炊飯器２との間の通信を確立することができる。
【００４０】
本実施の形態の処理１において、スマートフォン１を９つのエリアに分割して処理を実行しているが、分割するエリアの数は９に限られない。
【００４１】
本実施の形態の処理１のプログラムによれば、スマートフォン１を複数のエリアに分割し、各エリアを炊飯器２の機器側アンテナ２４に近づけたとき、スマートフォン１の端末側アンテナ１４が受信した磁界のそれぞれの磁界強度を記憶している。そして、最も強い磁界強度を特定し、最も強い磁界強度を取得したときのスマートフォン１と炊飯器２との相対的位置に基づいて、通信位置を特定している。従って、使用者がスマートフォン１の端末側アンテナ１４の位置を把握していなくても、スマートフォン１と炊飯器２との間でＮＦＣによる通信を容易に確立することができる。
【００４２】
本実施の形態の処理２のプログラムによれば、炊飯器２において機器側アンテナ２４が配設されている面にスマートフォン１がかざされたとき、機器側アンテナ２４が発信し、端末側アンテナ１４が受信した磁界の磁界強度が記憶される。そして、炊飯器２において機器側アンテナ２４が配設されている面の全域にわたって、スマートフォン１がかざされたら、記憶されている磁界強度のうち最も強い磁界強度を特定し、最も強い磁界強度を取得したときのスマートフォン１と炊飯器２との相対的位置に基づいて、通信位置を特定している。従って、使用者が炊飯器２の機器側アンテナ２４の位置を把握していなくても、スマートフォン１と炊飯器２との間でＮＦＣによる通信を容易に確立することができる。
【００４３】
なお、使用者が、スマートフォン１の端末側アンテナ１４および炊飯器２の機器側アンテナ２４のいずれも把握していない場合に、処理１および処理２を組み合わせた処理を実行するよう、プログラムを構成してもよい。すなわち、スマートフォン１を複数のエリアに分割し、各エリアを炊飯器２の上面の全域にタッチさせ、炊飯器２の機器側アンテナ２４が発信し、スマートフォン１の端末側アンテナ１４が受信した磁界の磁界強度を記憶する。そして、処理１および処理２と同様、最も強い磁界強度を特定し、その磁界強度を取得したときのスマートフォン１と炊飯器２の通信位置を特定する。図１２は、外部機器に対する携帯端末のタッチ位置の態様の一例を示す図である。図１２（ａ）は、炊飯器２にスマートフォン１の第１エリアを近づけていることを示す数字の１が表示された状態が示され、図１２（ｂ）は、炊飯器２にスマートフォン１の第２エリアを近づけていることを示す数字の２が表示されている。
【００４４】
このようにプログラムを構成すれば、スマートフォン１の全域と炊飯器２の上面の全域とをもれなくタッチさせることができるため、最適な通信位置以外の通信位置を特定することを回避することができる。
【符号の説明】
【００４５】
１  スマートフォン、２  炊飯器、１１  正面、１２  表示部、１３  裏面、１４  端末側アンテナ、１５  カメラ、２０  上面、２１  表示パネル、２２  スイッチ群、２３  スイッチ群、２４  機器側アンテナ、１００  端末制御手段、１０１  近接通信制御部、１０２  メモリ、１０３  通信位置特定部、２００  機器制御手段、２０１  近接通信制御部。
【図１】
2018037992.tif 000003
【図２】
2018037992.tif 000004
【図３】
2018037992.tif 000005
【図４】
2018037992.tif 000006
【図５】
2018037992.tif 000007
【図６】
2018037992.tif 000008
【図７】
2018037992.tif 000009
【図８】
2018037992.tif 000010
【図９】
2018037992.tif 000011
【図１０】
2018037992.tif 000012
【図１１】
2018037992.tif 000013
【図１２】
2018037992.tif 000014